(57)【特許請求の範囲】
【請求項１】
第一の筐体と第二の筐体とを連結部を介して連結した折り畳み式携帯端末装置において、
前記第二の筐体を前記連結部とともに縦方向に開閉する第一ヒンジ軸と、
前記第二の筐体を横方向に開閉する第二ヒンジ軸と、
前記第一の筐体の上面の、横方向の中心よりも前記第二ヒンジ軸側に配置された終話ボタンと、
前記終話ボタンの横であって、前記第一の筐体の上面の、横方向の中心よりも前記第二ヒンジ軸側の角部に、前記第一の筐体の上面の高さよりも高さが低くなるように設けられたボタン識別用の第一の突起と、
を備えることを特徴とする携帯端末装置。
【請求項２】
前記第一の筐体の上面の、横方向の中心よりも前記第二ヒンジ軸とは反対側に配置された発呼ボタンと、
前記発呼ボタンの横であって、前記第一の筐体の上面の、横方向の中心よりも前記第二ヒンジ軸とは反対側に設けられたボタン識別用の第二の突起と、
を備えることを特徴とする請求項１に記載の携帯端末装置。
【請求項３】
前記第一の筐体は、前記角部に斜面が形成され、
前記第一の突起は、前記斜面上に設けられた、
ことを特徴とする請求項１又は請求項２に記載の携帯端末装置。
【請求項４】
前記第一の筐体は、前記角部に段差部が形成され、
前記第一の突起は、前記段差部上に設けられた、
ことを特徴とする請求項１又は請求項２に記載の携帯端末装置。
【請求項５】
前記第一の筐体は、前記角部に曲面による面取り部が形成され、
前記第一の突起は、前記曲面による面取り部上に設けられた、
ことを特徴とする請求項１又は請求項２に記載の携帯端末装置。
【請求項６】
第一の筐体と第二の筐体とを連結部を介して連結した折り畳み式携帯端末装置において、
前記第二の筐体を前記連結部とともに縦方向に開閉する第一ヒンジ軸と、
前記第二の筐体を横方向に開閉する第二ヒンジ軸と、
前記第一の筐体の上面の、横方向の中心よりも前記第二ヒンジ軸側に配置された発呼ボタンと、
前記発呼ボタンの横であって、前記第一の筐体の上面の、横方向の中心よりも前記第二ヒンジ軸側の角部に、前記第一の筐体の上面の高さよりも高さが低くなるように設けられたボタン識別用の突起と、
を備えることを特徴とする携帯端末装置。
【請求項７】
前記第一の筐体は、前記角部に斜面が形成され、
前記突起は、前記斜面上に設けられた、
ことを特徴とする請求項６に記載の携帯端末装置。
【請求項８】
前記第一の筐体は、前記角部に段差部が形成され、
前記突起は、前記段差部上に設けられた、
ことを特徴とする請求項６に記載の携帯端末装置。
【請求項９】
前記第一の筐体は、前記角部に曲面による面取り部が形成され、
前記突起は、前記曲面による面取り部上に設けられた、
ことを特徴とする請求項６に記載の携帯端末装置。
【請求項１０】
第一の筐体と第二の筐体とを連結部を介して連結した折り畳み式携帯端末装置において、
前記第二の筐体を前記連結部とともに縦方向に開閉する第一ヒンジ軸と、
前記第二の筐体を横方向に開閉する第二ヒンジ軸と、
前記第一の筐体の上面に配置された終話ボタンと、
前記第一の筐体の上面に配置された発呼ボタンと、
前記第一の筐体の上面の角部に設けられたボタン識別用の突起と、を備え、
前記終話ボタン、前記発呼ボタン及び前記突起は、横方向に一直線上に配置され、
前記突起は、前記終話ボタン側の前記角部に、前記第一の筐体の上面の高さよりも高さが低くなるように設けられたことを特徴とする携帯端末装置。
【発明の詳細な説明】
【技術分野】
【０００１】
本発明は携帯端末装置に関し、特に終話ボタン又は発呼ボタンの位置を容易に確認することができるようにした携帯電話装置、ＰＤＡ、ＰＨＳ等に関する。
【背景技術】
【０００２】
従来の固定電話装置では、ダイヤルボタンの５番キーの表面に突起を設け、指先が突起に触れることで位置を確認しやすくしている。そして、最近急激に普及した携帯電話装置でも同様に５番キーやその他の操作ボタンの表面に突起を設けたものが実用化されている。ダイヤルボタンや操作ボタンの表面に突起を設けるとボタンが捜しやすく、操作するのに便利である。
【０００３】
携帯電話装置では、通話を開始するためのいわゆる「発呼ボタン」と、通話を終了するためのいわゆる「終話ボタン」を備えている。そこで、図１９に従来の携帯電話装置６０を示すように、これら発呼ボタンと終話ボタンに形状の異なる突起を設けることが提案されている。携帯電話装置６０では、形が真直ぐないわゆるストレートタイプの筐体上の発呼ボタン６１に、山のような形をした突起６２を設けている。同じく、終話ボタン６３に薄い円板の形をした突起６４を設けている。図２０（ａ）に山のような形をした突起６２の斜視図を示す。図２０（ｂ）に薄い円板の形をした突起６４の斜視図を示す（例えば、特許文献１参照）。
【０００４】
このように発呼ボタンと終話ボタンに形状の異なる突起があると、発呼ボタンと終話ボタンが確実に直ぐに押せて便利である。特に終話ボタンを早く押すと、実際の音声通話が終わってから電話回線を切断するまでの時間を短縮できる。携帯電話装置の通話料金が秒単位で計算されるときは、終話ボタンを早く押して通話料金を節約することができる。
【０００５】
一方、表示部のある筐体を縦方向に開く「縦開き」きと、横方向に開く「横開き」ができる二軸ヒンジを持つ折り畳み式（いわゆる縦横開きタイプ）の携帯電話装置が知られている（例えば、特許文献２参照）。
【０００６】
また、操作部のある筐体の上を表示部のある筐体がスライドするいわゆるスライドタイプの携帯電話装置が知られている（例えば、特許文献３参照）。
【特許文献１】特開平１０−１３６０７２号公報
【特許文献２】特開２００７−１１３６８６号公報
【特許文献３】特開２００１−２９２２１３号公報
【発明の開示】
【発明が解決しようとする課題】
【０００７】
しかしながら、特許文献１に記載された発呼ボタンと終話ボタンの突起は、特許文献２に記載されたようないわゆる縦横開きタイプの携帯電話装置や、特許文献３に記載されたようないわゆるスライドタイプの携帯電話装置に適用するには、以下のような問題があった。
【０００８】
図２１と図２２に、特許文献１に記載された発呼ボタンと終話ボタンの突起を、特許文献２に記載されたようないわゆる縦横開きタイプの携帯電話装置に適用した場合の模式図を示す。図２１と図２２に示したような、表示部７６のある筐体を縦方向に開く「縦開き」きと、横方向に開く「横開き」ができる二軸ヒンジを持つ折り畳み式携帯電話装置において、発呼ボタン７１に山のような形をした突起７２を設け、終話ボタン７３に薄い円板の形をした突起７４を設けた場合には、横開きでは、薄い円板の形をした突起７４と第二筐体７７が当たって邪魔になる、という問題がある。
【０００９】
図２１には、二軸ヒンジを持つ折り畳み式携帯電話装置７０の表示部７６のある第二筐体７７を縦方向に開いたときの外観斜視図を示す。また、図２２には、第二筐体７７を横方向に開いたときの外観斜視図を示す。折り畳み式携帯電話装置７０では、第一ヒンジ軸７８について第二筐体７７が矢印Ａ方向、つまり縦方向に開く。また、第二ヒンジ軸７９について第二筐体７７が矢印Ｂ方向、つまり横方向に開く。
【００１０】
この折り畳み式携帯電話装置７０において、発呼ボタン７１に山のような形をした突起７２を設け、終話ボタン７３に薄い円板の形をした突起７４を設けた場合、図２１の縦開きでは特に問題はないが、図２２の横開きでは、薄い円板の形をした突起７４と第二筐体７７が当たって邪魔になる。また、第二筐体７７が当たって、第二筐体７７に傷がつく場合もある。薄い円板の形をした突起７４の高さを低くすると、突起７４が識別しにくくなるという問題がある。
【００１１】
また、図２３に、特許文献１に記載された発呼ボタンと終話ボタンの突起を、特許文献３に記載されたようないわゆるスライドタイプの携帯電話装置に適用した場合の模式図を示す。図２３のような携帯電話装置８０では、操作部のある第一筐体８５の上を表示部８６のある第二筐体８７が矢印Ｃ方向にスライドする。図２３に示したスライドタイプの携帯電話装置８０において、発呼ボタン８１に山のような形をした突起８２を設け、終話ボタン８３に薄い円板の形をした突起８４を設ける場合、矢印Ｃ方向にスライドする第二筐体８７の下面と突起８２、８４とが接触しないように一定の隙間が必要になる。厚さの薄いスライドタイプの携帯電話装置８０では、隙間を十分に取ることは難しい。隙間が狭いと、第二筐体８７の下面と突起８２、８４が接触してしまうという問題がある。
【００１２】
本発明は、いわゆる縦横開きタイプの携帯電話装置、スライドタイプの携帯電話装置などの携帯電話装置において、発呼ボタンや終話ボタンを識別するための突起が邪魔にならず、容易に発呼ボタンや終話ボタンを識別するための突起に触れることができて、発呼ボタンや終話ボタンを確実に直ぐに押すことができる携帯電話装置を提供することを目的としている。
【課題を解決するための手段】
【００１３】
本発明の携帯端末装置は、第一の筐体と第二の筐体とを連結部を介して連結した折り畳み式携帯端末装置において、前記第二の筐体を前記連結部とともに縦方向に開閉する第一ヒンジ軸と、前記第二の筐体を横方向に開閉する第二ヒンジ軸と、前記第一の筐体の上面の、横方向の中心よりも前記第二ヒンジ軸側に配置された終話ボタンと、前記終話ボタンの横であって、前記第一の筐体の上面の、横方向の中心よりも前記第二ヒンジ軸側の角部に、前記第一の筐体の上面の高さよりも高さが低くなるように設けられたボタン識別用の第一の突起と、を備えることを特徴とする。
【００１４】
この構成により、第一の筐体と第二の筐体とが長手方向に平行な軸について回動する場合に、第一の突起が第一の筐体の上面の高さよりも低い位置に設けられているので、終話ボタンの横の第一の突起と第二の筐体とが当たって邪魔になることがなく、かつ、第一の筐体と第二の筐体とが短手方向に平行な軸について回動する場合には、終話ボタンの横の第一の突起に容易に触れることができるので、終話ボタンを確実に直ぐに押すことができる。また、夜間や暗い場所などで、携帯端末装置の電源を入れようとする場合に、終話ボタンがよく見えない場合でも、第一の筐体の上面の端部である角部に第一の突起を設けたので、終話ボタンの横の第一の突起に容易に触れることができるので、終話ボタンを確実に直ぐに押して、素早く電源を入れることができる。
【００１５】
また、本発明の携帯端末装置は、前記第一の筐体の上面の、横方向の中心よりも前記第二ヒンジ軸とは反対側に配置された発呼ボタンと、前記発呼ボタンの横であって、前記第一の筐体の上面の、横方向の中心よりも前記第二ヒンジ軸とは反対側に設けられたボタン識別用の第二の突起と、を備えることを特徴とする。
【００１６】
この構成により、第一の突起は第一の筐体の上面の端部である角部に、前記第一の筐体の上面の高さよりも低い位置に設けられているのに対して、第二の突起は第一の筐体の上面に設けられているので、終話ボタンの横の第一の突起と発呼ボタンの横の第二の突起とをより容易に区別又は識別することができる。
【００１７】
さらに、本発明の携帯端末装置は、前記第一の筐体は、前記角部に斜面が形成され、前記第一の突起は、前記斜面上に設けられた、ことを特徴とする。
【００１８】
この構成により、第一の突起を、第一の筐体の上面の端部である角部であって、第一の筐体の上面の高さよりも低い位置に設けることができるので、終話ボタンの横の第一の突起と第二の筐体とが当たって邪魔になることがなく、かつ、第一の筐体と第二の筐体とが短手方向に平行な軸について回動する場合には、終話ボタンの横の第一の突起に容易に触れることができるので、終話ボタンを確実に直ぐに押すことができる。
【００１９】
さらに、本発明の携帯端末装置は、前記第一の筐体は、前記角部に段差部が形成され、前記第一の突起は、前記段差部上に設けられた、ことを特徴とする。
【００２０】
この構成により、第一の突起を、第一の筐体の上面の端部である角部であって、第一の筐体の上面の高さよりも低い位置に設けることができるので、終話ボタンの横の第一の突起と第二の筐体とが当たって邪魔になることがなく、かつ、第一の筐体と第二の筐体とが短手方向に平行な軸について回動する場合には、終話ボタンの横の第一の突起に容易に触れることができるので、終話ボタンを確実に直ぐに押すことができる。
【００２１】
さらに、本発明の携帯端末装置は、前記第一の筐体は、前記角部に曲面による面取り部が形成され、前記第一の突起は、前記曲面による面取り部上に設けられた、ことを特徴とする。
【００２２】
この構成により、第一の突起を、第一の筐体の上面の端部である角部であって、第一の筐体の上面の高さよりも低い位置に設けることができるので、終話ボタンの横の第一の突起と第二の筐体とが当たって邪魔になることがなく、かつ、第一の筐体と第二の筐体とが短手方向に平行な軸について回動する場合には、終話ボタンの横の第一の突起に容易に触れることができるので、終話ボタンを確実に直ぐに押すことができる。
【００２３】
さらに、本発明の携帯端末装置は、第一の筐体と第二の筐体とを連結部を介して連結した折り畳み式携帯端末装置において、前記第二の筐体を前記連結部とともに縦方向に開閉する第一ヒンジ軸と、前記第二の筐体を横方向に開閉する第二ヒンジ軸と、前記第一の筐体の上面の、横方向の中心よりも前記第二ヒンジ軸側に配置された発呼ボタンと、前記発呼ボタンの横であって、前記第一の筐体の上面の、横方向の中心よりも前記第二ヒンジ軸側の角部に、前記第一の筐体の上面の高さよりも高さが低くなるように設けられたボタン識別用の突起と、を備えることを特徴とする。
【００２４】
この構成により、第一の筐体と第二の筐体とが長手方向に平行な軸について回動する場合に、突起が第一の筐体の上面の高さよりも低い位置に設けられているので、発呼ボタンの横の突起と第二の筐体とが当たって邪魔になることがなく、かつ、第一の筐体と第二の筐体とが短手方向に平行な軸について回動する場合には、発呼ボタンの横の突起に容易に触れることができるので、発呼ボタンを確実に直ぐに押すことができる。
【発明の効果】
【００２９】
本発明によれば、第一の筐体と第二の筐体とが長手方向に平行な軸について回動する場合に、突起が第一の筐体の上面の高さよりも高さが低くなるように設けられているので、終話ボタン又は発呼ボタンの横の突起と第二の筐体とが当たって邪魔になることがなく、かつ、第一の筐体と第二の筐体とが短手方向に平行な軸について回動する場合には、終話ボタン又は発呼ボタンの横の突起に容易に触れることができるので、終話ボタン又は発呼ボタンを確実に直ぐに押すことができる。
【発明を実施するための最良の形態】
【００３０】
本発明を実施するための最良の形態について、図面とともに説明する。
【００３１】
（実施の形態１）
本発明の実施形態１の携帯電話装置として、表示部のある筐体を縦方向に開く「縦開き」きと、横方向に開く「横開き」ができる二軸ヒンジを持つ折り畳み式（いわゆる縦横開きタイプ）の携帯電話装置の場合について説明する。
【００３２】
図１と図２に、本発明の実施の形態１に係る携帯電話装置１００の第二筐体２を縦開きしたときの外観斜視図を示す。図１は、携帯電話装置１００を右上から見た斜視図であり、図２は携帯電話装置１００を左上から見た斜視図である。図３に、携帯電話装置１００の第二筐体２を横開きしたときの外観斜視図を示す。携帯電話装置１００は、図１と図２に示すように、第一筐体１と第二筐体２とが第一ヒンジ軸９と第二ヒンジ軸１０とで構成される連結部で接続されている。ここで、第一ヒンジ軸９は、第一筐体１又は第二筐体２の短手方向に平行な軸である。第二ヒンジ軸１０は、第一筐体１又は第二筐体２の長手方向に平行な軸である。そして、連結部は、第一筐体１と第二筐体とを２つの軸で回動可能に連結している。
【００３３】
第一筐体１には、電話をかけたり電話を受けたりするときに使用する発呼ボタン３、電話を終了したり各機能を終了するときに使用する終話ボタン４、電話番号や文字を入力するときに使用するダイヤルボタン８等が配置されている。（以下、少なくとも発呼ボタン３と終話ボタン４とが配置されている面を、第一筐体１の上面と呼ぶことにする。）また、第二筐体２には、表示部５が配置されている。
【００３４】
携帯電話装置１００は、第一筐体１の発呼ボタン３又は終話ボタン４と第二筐体２の表示部５とが対向する状態の折り畳み状態（折り畳んだ状態）と、折り畳み状態から第一の筐体と第二の筐体とが短手方向に平行な軸（第一ヒンジ軸９）について矢印Ｄ方向に回動した状態である縦開き状態（縦方向に開いた状態）（図１、図２の状態）と、折り畳み状態から第一の筐体と第二の筐体とが長手方向に平行な軸（第二ヒンジ軸１０）について回動した状態である横開き状態（横方向に開いた状態）（図３の状態）との３つの状態が可能である。ところで、携帯電話装置１００で電話をかけるときは、第一の操作として、ダイヤルボタン８を押して電話番号を入力する。第二の操作として、表示部５に表示された電話番号を確認する。第三の操作として、発呼ボタン３を押す。このことにより携帯電話装置１００は、基地局と携帯電話通信網を経由して他の携帯電話装置などと電話回線が接続し通話することができる。そして音声通話が終われば、第四の操作として、終話ボタン４を押して電話回線を切断する。これらの操作は、従来の携帯電話装置と同じである。
【００３５】
また、これに加えて、携帯電話装置１００の電源を入れるとき及び電源を切るときにも、終話ボタン４は使用される。例えば、電源が切られている状態で終話ボタン４を１秒以上押すと電源が入り、逆に電源が入っている状態で終話ボタン４を２秒以上押すと電源が切れるようになっている。この点は、従来の携帯電話装置と同じである。
【００３６】
図１と図２に示すように、携帯電話装置１００は、第一筐体１の上面の発呼ボタン３と終話ボタン４付近では、第一筐体１の上面の端部である角部を面取りして、細長い斜面６を形成している。そして、終話ボタン４の近くの斜面６（望ましくは、終話ボタン４の横であって、第一筐体１の長手方向の中心よりも前記終話ボタン４側の斜面６）に筋状の突起７ｂを設けている。また、発呼ボタン３の近くの斜面６（望ましくは、発呼ボタン３の横であって、第一筐体１の長手方向の中心よりも前記発呼ボタン３側の斜面６）に筋状の突起７ａを設けている。
【００３７】
図４に第一筐体１の断面図を示し、図５に第一筐体１の一部分を拡大して示した断面図を示す。図４と図５において、第一筐体１は上筐体１ａと下筐体１ｂを上下に合体して一つの筐体を形成して、上筐体１ａに操作パネル１ｃを取り付けている。（操作パネル１ｃには、発呼ボタン３、終話ボタン４、ダイヤルボタン８等が配置されている。）そして、第一筐体１の上筐体１ａの上面の端部に斜面６を形成し、斜面６の上に突起７ａ、７ｂをそれぞれ形成している。なお、図１と図２に示すように、筋状の突起７ａ、７ｂの縦方向の中心の位置は発呼ボタン３と終話ボタン４の縦方向の中心の位置と一致させている。すなわち、突起７ｂは終話ボタン４の横であって、第一筐体１の長手方向の中心よりも前記終話ボタン４側の斜面６に設けられている。また、突起７ａは発呼ボタン３の横であって、第一筐体１の長手方向の中心よりも前記発呼ボタン３側の斜面６に設けられている。筋状の突起７ａ、７ｂの長さについては発呼ボタン３と終話ボタン４の縦方向の長さに合わせている。筋状の突起７ａ、７ｂの長さについては、発呼ボタン３と終話ボタン４の縦方向の長さより長くても、短くてもよい。また、突起７ａ、７ｂは筋状でなくてもよく、それぞれを一つまたは複数の点状の突起として形成してもよい。
【００３８】
突起７ａ、７ｂは第一筐体１の上面より低い位置にあるので、第二筐体２の横方向に開く開閉動作の邪魔にはならず、操作者は、突起７ａ、７ｂに触れて発呼ボタン３と終話ボタン４を識別して使用することができる。携帯電話装置１００を手で持つときは、通常、筐体１の側面に指が当たるように把持することになる。そのため、突起７ａ、７ｂを第一筐体１の上面の端部である角部の斜面６上に設けてあるので、手の指が触れやすくなっている。図６に、携帯電話装置１００を左手で持ったときの状況を示す概念図を示す。図６では、左手を破線で示している。図６では、筐体１の斜面６に設けた突起７ａには親指９８が当たり、突起７ｂには中指９９が当たっている。突起７ｂに中指９９が当たった状態で通話していて通話を終了したときは、中指９９を使って終話ボタン４を簡単に素早く押すことができる。
【００３９】
また、これに加えて、終話ボタン４を押して携帯電話装置１００の電源を入れるときにも、突起７ｂ等があると便利である。例えば、携帯電話装置１００の電源が入っている状態では、周囲の明るさによっては、操作パネル１ｃ（発呼ボタン３、終話ボタン４、ダイヤルボタン８等）を照明することもできるが、携帯電話装置１００の電源が入っていない状態では、操作パネル１ｃを照明することはしないのが通常である。そのため、夜間や暗い場所などで、携帯電話装置１００の電源を入れようとする場合には、終話ボタン４がよく見えない場合がある。このような場合でも、本実施の形態の携帯電話装置１００は、終話ボタン４の横の突起７ｂ等に容易に触れることができるので、終話ボタン４を確実に直ぐに押して、素早く電源を入れることができる。
【００４０】
既に図３に示したように、携帯電話装置１００では、第二ヒンジ軸１０について表示部５のある第二筐体２を横方向に開くことができる。第一筐体１の上面の発呼ボタン３と終話ボタン４付近では、既に説明したとおり、角部を面取りして、細長い斜面６を形成している。そして、終話ボタン４の近くの斜面６に筋状の突起７ｂを設けている。また、発呼ボタン３の近くの斜面６に筋状の突起７ａを設けている。
【００４１】
図７に、第二筐体２を９０度程度、横開きしたときの断面図を示す。図８に第二筐体２を９０度程度、横開きしたときの終話ボタン４と突起７ｂ付近の部分断面図を示す。また、図９に、第二筐体２を約１７０度程度、横開きしたときの断面図を示す。
【００４２】
図１０に第二筐体２を約１７０度程度、横開きしたときの終話ボタン４と突起７ｂ付近の部分断面図を示す。突起７ａ、７ｂは第一筐体１の上面より低い位置にあるので、第二筐体２の横方向に開く開閉動作の邪魔にならない。すなわち、終話ボタンの横の突起７ｂと第二筐体とが当たって邪魔になることがない。
【００４３】
なお、携帯電話装置１００で横開きすると、終話ボタン４を識別するための突起７ｂが第二筐体２に隠れてしまうが、元々、横開きする場合は、テレビ放送等を横長画面で見るためであり、突起７ｂが隠れても使用上の問題は生じない。
【００４４】
以上で説明したように、本実施の形態１の携帯電話装置１００は、第一筐体１と第二筐体２とが長手方向に平行な軸について回動する場合（横開きする場合）に、突起７ｂが第一筐体１の上面の高さよりも低い位置に設けられているので、終話ボタン４の横の突起７ｂと第二筐体２とが当たって邪魔になることがなく、かつ、第一筐体１と第二筐体２とが短手方向に平行な軸について回動する場合（縦開きする場合）には、終話ボタン４の横の突起７ｂに容易に触れることができるので、終話ボタン４を確実に直ぐに押すことができる。
【００４５】
また、本実施の形態１の携帯電話装置１００は、夜間や暗い場所などで、携帯電話装置１００の電源を入れようとする場合に、終話ボタン４がよく見えない場合でも、第一筐体１の上面の端部である角部に突起７ｂを設けたので、終話ボタン４の横の突起７ｂ等に容易に触れることができるので、終話ボタン４を確実に直ぐに押して、素早く電源を入れることができる。
【００４６】
なお、上記の説明では、発呼ボタン３と終話ボタン４を識別する突起７ａ、７ｂの両方を第一筐体１の上面より低い位置に配置した場合を説明したが、発呼ボタン３の識別用の突起７ａについて、第一筐体１の上面より高い位置に配置しても邪魔にならない場合には、終話ボタン４の識別用の突起７ｂだけを第一筐体１の上面より低い位置に配置するようにしても良い。
【００４７】
図１１に、発呼ボタン３の識別用の突起９７を第一筐体１の上面より高い位置に配置し、終話ボタン４の識別用の突起７ｂだけを第一筐体１の上面より低い位置に配置に配置した携帯電話装置１１０を横開きしたときの斜視図を示す。また図１２に、図１１の携帯電話装置１１０のＨ−Ｈ断面図を示す。図１２に示すように、発呼ボタン３の識別用の突起９７は第一筐体１の上面より高い位置にあるが、第二筐体２の開閉には邪魔になっていない。一方、終話ボタン４の識別用の突起７ｂは第一筐体１の上面より低い位置にあるため、第二筐体２の開閉には邪魔にならない。
【００４８】
このように、発呼ボタン３の識別用の突起９７と終話ボタン４の識別用の突起７ｂを異なる位置に設ければ、突起９７、７ｂを触ったときにそれぞれをより容易に区別又は識別できるという効果がある。
【００４９】
また、上記の説明では、終話ボタン４を、第一筐体１の上面の、長手方向の中心よりも、第一の筐体１と第二筐体２とが回動する長手方向に平行な軸の側に、配置し、発呼ボタン３を、第一筐体１の上面の、第一筐体１の上面の、長手方向の中心よりも、第一筐体１と第二筐体２とが回動する長手方向に平行な軸とは反対側に、配置する場合を説明したが、終話ボタン４と発呼ボタン３の配置を逆にしてもよい。すなわち、発呼ボタン３を、第一筐体１の上面の、長手方向の中心よりも、第一の筐体１と第二筐体２とが回動する長手方向に平行な軸の側に、配置し、終話ボタン４を、第一筐体１の上面の、第一筐体１の上面の、長手方向の中心よりも、第一筐体１と第二筐体２とが回動する長手方向に平行な軸とは反対側に、配置するようにしてもよい。
【００５０】
また、この場合、発呼ボタン３と終話ボタン４を識別する突起の両方を第一筐体１の上面より低い位置に配置する（上記の説明と同様に、斜面６に設ける）。このようにすれば、発呼ボタン３の横の突起と第二の筐体とが当たって邪魔になることがなく、かつ、第一の筐体と第二の筐体とが短手方向に平行な軸について回動する場合には、発呼ボタン３の横の突起に容易に触れることができるので、発呼ボタン３を確実に直ぐに押すことができる。  
【００５１】
または、終話ボタン４の識別用の突起について、第一筐体１の上面より高い位置に配置しても邪魔にならない場合には、発呼ボタン３の識別用の突起だけを第一筐体１の上面より低い位置に配置するようにしても良い。このようにすればそれぞれの突起をより容易に区別又は識別できる。
【００５２】
（実施の形態２）
次に、本発明の実施形態２として、本発明をスライドタイプの携帯電話装置に適用した場合について説明する。
【００５３】
図１３に、本発明の実施の形態２に係るスライドタイプの携帯電話装置２００の外観斜視図を示す。スライドタイプの携帯電話装置２００では、操作部のある第一筐体２１の上を表示部２５のある第二筐体２２が矢印Ｋ方向にスライドする。操作部のある第一筐体２１の上面の発呼ボタン３と終話ボタン４付近では、角部を面取りして、細長い斜面２６を形成している。そして、斜面２６の終話ボタン４の近くに筋状の突起２７ｂを設けている。
【００５４】
具体的には、突起２７ｂは、終話ボタン４の横であって、第一筐体２１の長手方向の中心よりも終話ボタン４側の第一筐体２１の上面の端部である角部に、第一筐体２１の上面の高さよりも低い位置に設けられている。
【００５５】
また、斜面２６の発呼ボタン３の近くに筋状の突起２７ａを設けている。具体的には、突起２７ａは、発呼ボタン３の横であって、第一筐体２１の長手方向の中心よりも発呼ボタン３側の第一筐体２１の上面の端部である角部に、第一筐体２１の上面の高さよりも低い位置に設けられている。
【００５６】
第一筐体２１の断面形状としては、既に説明した図４、図５と同じである。突起２７ａ、２７ｂは第一筐体２１の上面より低い位置にある。そのため、第一筐体２１の上を第二筐体２２がスライドしても、突起２７ａ、２７ｂが第二筐体２２の下面に当たることは無い。突起２７ａ、２７ｂは、第二筐体２２のスライド動作の邪魔にはならない。そして、第二筐体２２を開いているとき、操作者は突起２７ａ、２７ｂに触れて発呼ボタン３と終話ボタン４を識別して使用することができる。
【００５７】
（実施の形態３）
本発明の実施の形態３では、本発明をいわゆるストレートタイプの携帯電話装置に適用した場合について説明する。図１４に、本発明の実施の形態３に係る携帯電話装置３００の外観斜視図を示す。携帯電話装置３００では、ほぼ直方体をした筐体３１の上面に、発呼ボタン３、終話ボタン４や表示部３５などを設けている。
【００５８】
携帯電話装置３００では、筐体３１の上面の発呼ボタン３と終話ボタン４付近の角部を面取りして、細長い斜面３６を形成している。そして、終話ボタン４の近くの斜面３６に筋状の突起３７ｂを設けている。
【００５９】
具体的には、突起３７ｂは、終話ボタン４の横であって、筐体３１の長手方向の中心よりも終話ボタン４側の筐体３１の上面の端部である角部に、筐体３１の上面の高さよりも低い位置に設けられている。
【００６０】
また、発呼ボタン３の近くの斜面３６に筋状の突起３７ａを設けている。具体的には、突起３７ａは、発呼ボタン３の横であって、筐体３１の長手方向の中心よりも発呼ボタン３側の筐体３１の上面の端部である角部に、筐体３１の上面の高さよりも低い位置に設けられている。
【００６１】
ストレートタイプの携帯電話装置に本発明を適用したとき、操作者は突起３７ａ、３７ｂに触れて発呼ボタン３と終話ボタン４を識別して使用することができる。また、突起３７ａ、３７ｂが筐体３１より低い位置にあるので、ズボンやシャツのポケットに入れるときに突起３７ａ、３７ｂがポケットの入り口に引っかからず、スムーズに収納できるという効果がある。
【００６２】
（実施の形態４）
次に、本発明の実施形態４を説明する。本発明の実施形態４は、終話ボタンを筐体の上面の端付近に配置し、筐体の上面の端部である角部に段差部を形成し、筐体の段差部に終話ボタンの位置を認識するための突起を終話ボタンの近傍でかつ筐体の上面より低い位置に設けている。
【００６３】
既に説明した実施の形態１から実施の形態３では、筐体の上面の端部である角部に斜面を形成し、斜面に終話ボタンの位置を認識するための突起を終話ボタンの近傍でかつ筐体の上面より低い位置に設けていたが、本発明の実施形態４では、上面の端部である角部に、斜面ではなく、段差部４６を設け、段差部４６に終話ボタンの位置を認識するための突起４７ｂを設けている点に特徴がある。すなわち、既に説明した実施の形態１から実施の形態３の斜面に代えて、段差部４６を設けることもできる。
【００６４】
図１５に本発明の実施形態４の携帯電話装置の筐体４１の断面図を示す。また、図１６に上筐体４１ａの部分斜視図を示す。段差部４６は筐体４１の上面から「Ｌ１」の段差があり、突起４７ｂは筐体４１の上面から「Ｌ２」の段差がある。段差部４６の段差「Ｌ１」は、突起４７ｂの段差「Ｌ２」より大きいので、携帯電話装置を把持する指は、段差部４６の表面には当たらないが、突起４７ｂの表面には当たる。突起４７ｂに指が触れると、突起４７ｂの位置、ひいては終話ボタン４の位置が分かる。
【００６５】
この構成により、例えば、実施の形態１の斜面６に代えて図１５及び図１６に示すような段差部４６を設けた場合には、突起４７ｂを、筐体４１（実施の形態１の第一筐体１に対応する）の上面の端部である角部であって、筐体４１の上面の高さよりも低い位置に設けることができるので、実施の形態１の横開きの場合に、終話ボタンの横の突起４１と実施の形態１の第二筐体２とが当たって邪魔になることがなく、かつ、実施の形態１の縦開きの場合には、終話ボタンの横の突起４７ｂに容易に触れることができるので、終話ボタンを確実に直ぐに押すことができる。
【００６６】
実施の形態２又は実施の形態３の斜面６に代えて図１５及び図１６に示すような段差部４６を設けた場合も同様である。
【００６７】
（実施の形態５）
次に、本発明の実施形態５を説明する。本発明の実施形態５は、終話ボタンを筐体の上面の端付近に配置し、筐体の上面の端部に斜面を形成し、筐体の斜面に終話ボタンの位置を認識するための突起を終話ボタンの近傍でかつ筐体の上面より低い位置に設けていることは実施の形態１から実施の形態３までと同じであるが、斜面を平面で無く曲面とした点に特徴がある。すなわち、既に説明した実施の形態１から実施の形態３の斜面に代えて、曲面５６を設けることもできる。
【００６８】
図１７に本発明の実施の形態５の携帯電話装置の筐体５１の断面図を示す。また、図１８に上筐体５１ａの部分斜視図を示す。本発明の実施の形態５の携帯電話装置の筐体５１では角部にＲ状の面取りを行って曲面５６を作り、この曲面５６をこれまで説明してきた斜面として用いている。そして、突起５７ｂについては曲面５６の半径より小さい半径のＲ状の面取りを行って突起を形成している。突起５７ｂは曲面５６より突出している。携帯電話装置を把持する指は、曲面５６と突起５７ｂ段差を識別することができる。そのため、指が触れると、突起５７ｂの位置、ひいては終話ボタン４の位置が分かる。
【００６９】
この構成により、例えば、実施の形態１の斜面６に代えて図１７及び図１８に示すような曲面５６を設けた場合には、突起５７ｂを、筐体５１（実施の形態１の第一筐体１に対応する）の上面の端部である角部であって、筐体５１の上面の高さよりも低い位置に設けることができるので、実施の形態１の横開きの場合に、終話ボタンの横の突起５１と実施の形態１の第二筐体２とが当たって邪魔になることがなく、かつ、実施の形態１の縦開きの場合には、終話ボタンの横の突起５７ｂに容易に触れることができるので、終話ボタンを確実に直ぐに押すことができる。
【００７０】
実施の形態２又は実施の形態３の斜面６に代えて図１５及び図１６に示すような段差部４６を設けた場合も同様である。
【産業上の利用可能性】
【００７１】
本発明は、第一の筐体と第二の筐体とが長手方向に平行な軸について回動する場合に、突起が第一の筐体の上面の高さよりも高さが低くなるように設けられているので、終話ボタン又は発呼ボタンの横の突起と第二の筐体とが当たって邪魔になることがなく、かつ、第一の筐体と第二の筐体とが短手方向に平行な軸について回動する場合には、終話ボタン又は発呼ボタンの横の突起に容易に触れることができるので、終話ボタン又は発呼ボタンを確実に直ぐに押すことができる。このため、終話ボタン又は発呼ボタンの位置を容易に確認することができるようにした携帯電話装置、ＰＤＡ、ＰＨＳ等の携帯端末装置などに有用である。
【図面の簡単な説明】
【００７２】
【図１】本発明の実施の形態１に係る携帯電話装置の筐体を縦開きした状態を示す斜視図
【図２】本発明の実施の形態１に係る携帯電話装置の筐体を縦開きした状態を示す斜視図
【図３】本発明の実施の形態１に係る携帯電話装置の筐体を横開きした状態を示す斜視図
【図４】本発明の実施の形態１に係る携帯電話装置の第一筐体の断面図
【図５】本発明の実施の形態１に係る携帯電話装置の第一筐体の部分断面図
【図６】本発明の実施の形態１に係る携帯電話装置の筐体を左手で持った状態を示す概念図
【図７】本発明の実施の形態１に係る携帯電話装置の筐体を横開きしたときの断面図
【図８】本発明の実施の形態１に係る携帯電話装置の筐体を横開きしたときの部分断面図
【図９】本発明の実施の形態１に係る携帯電話装置の筐体を横開きしたときの断面図
【図１０】本発明の実施の形態１に係る携帯電話装置の筐体を横開きしたときの部分断面図
【図１１】本発明の実施の形態１に係る他の携帯電話装置の筐体を横開きした状態を示す斜視図
【図１２】本発明の実施の形態１に係る他の携帯電話装置の筐体を横開きしたときの断面図
【図１３】本発明の実施の形態２に係る携帯電話装置の斜視図
【図１４】本発明の実施の形態３に係る携帯電話装置の斜視図
【図１５】本発明の実施の形態４に係る携帯電話装置の筐体の断面図
【図１６】本発明の実施の形態４に係る携帯電話装置の筐体の部分斜視図
【図１７】本発明の実施の形態５に係る携帯電話装置の筐体の断面図
【図１８】本発明の実施の形態５に係る携帯電話装置の筐体の部分斜視図
【図１９】従来のストレートタイプの携帯電話装置の斜視図
【図２０】（ａ）従来の携帯電話装置の発呼ボタンに取り付ける突起の外形を示す斜視図（ｂ）従来の携帯電話装置の終話ボタンに取り付ける突起の外形を示す斜視図
【図２１】特許文献１に記載された発呼ボタンと終話ボタンの突起を、特許文献２に記載されたようないわゆる縦横開きタイプの携帯電話装置に適用した場合の模式図（縦開きした状態）
【図２２】特許文献１に記載された発呼ボタンと終話ボタンの突起を、特許文献２に記載されたようないわゆる縦横開きタイプの携帯電話装置に適用した場合の模式図（横開きした状態）
【図２３】特許文献１に記載された発呼ボタンと終話ボタンの突起を、特許文献３に記載されたようないわゆるスライドタイプの携帯電話装置に適用した場合の模式図
【符号の説明】
【００７３】
１    第一筐体
２    第二筐体
３    発呼ボタン
４    終話ボタン
５    表示部
６    斜面
７ａ，７ｂ    突起
８    ダイヤルボタン
９    第一ヒンジ軸
１０    第二ヒンジ軸
【要約】
【課題】発呼ボタンや終話ボタンを識別するための突起が邪魔にならず、容易に発呼ボタンや終話ボタンを識別するための突起に触れることができて、発呼ボタンや終話ボタンを確実に直ぐに押すことができる携帯電話装置を提供する。
【解決手段】終話ボタン４あるいは発呼ボタン３のいずれかを有する携帯電話装置１００において、終話ボタン４あるいは発呼ボタン３を筐体の上面の端付近に配置し、終話ボタン４あるいは発呼ボタン３の位置を認識するための突起７ａ、７ｂを終話ボタン４あるいは発呼ボタン３の近傍でかつ筐体の上面より低い位置に設ける。
【選択図】図１【図１】
0004207093.tif 000002
【図２】
0004207093.tif 000003
【図３】
0004207093.tif 000004
【図４】
0004207093.tif 000005
【図５】
0004207093.tif 000006
【図６】
0004207093.tif 000007
【図７】
0004207093.tif 000008
【図８】
0004207093.tif 000009
【図９】
0004207093.tif 000010
【図１０】
0004207093.tif 000011
【図１１】
0004207093.tif 000012
【図１２】
0004207093.tif 000013
【図１３】
0004207093.tif 000014
【図１４】
0004207093.tif 000015
【図１５】
0004207093.tif 000016
【図１６】
0004207093.tif 000017
【図１７】
0004207093.tif 000018
【図１８】
0004207093.tif 000019
【図１９】
0004207093.tif 000020
【図２０】
0004207093.tif 000021
【図２１】
0004207093.tif 000022
【図２２】
0004207093.tif 000023
【図２３】
0004207093.tif 000024